(57)【要約】【課題】  ユーザの利便性を確保しつつ、ザッピング本来の楽しみを堪能できる放送受信装置の提供。【解決手段】  放送受信装置は、視聴するチャンネルを順送りまたは逆送りする選局操作を受け付ける選局操作受付部と、表示しないチャンネルの条件（非表示条件）を受け付けて記憶する非表示チャンネル設定記憶部と、前記チャンネルの順送りまたは逆送り操作を受け付けた場合に、前記非表示チャンネル設定記憶部に記憶された条件（非表示条件）に従って、順送りまたは逆送りしたチャンネルの表示を省略する判断部を備える。【選択図】  図１
2010219760.tif 000002
【特許請求の範囲】
【請求項１】
視聴するチャンネルを順送りまたは逆送りする選局操作を受け付ける選局操作受付部と、
表示しないチャンネルの条件（非表示条件）を受け付けて記憶する非表示チャンネル設定記憶部と、
前記チャンネルの順送りまたは逆送り操作を受け付けた場合に、前記非表示チャンネル設定記憶部に記憶された条件（非表示条件）に従って、順送りまたは逆送りしたチャンネルの表示を省略する判断部と、を備えること、
を特徴とする放送受信装置。
【請求項２】
前記表示しないチャンネルの条件（非表示条件）として、表示しない番組の条件を設定可能であり、
前記判断部は、外部から受信した番組情報を参照して、前記選局操作の時点で放送されている番組により、チャンネルの表示を省略するか否かを判断する請求項１の放送受信装置。
【請求項３】
前記表示しないチャンネルの条件（非表示条件）として、ＣＭ（Ｃｏｍｍｅｒｃｉａｌ  Ｍｅｓｓａｇｅ）放送中の表示を行うか否かを設定可能であり、
前記判断部は、前記選局操作の時点でＣＭ（Ｃｏｍｍｅｒｃｉａｌ  Ｍｅｓｓａｇｅ）が放送されているか否かにより、チャンネルの表示を省略するか否かを判断する請求項１または２の放送受信装置。
【請求項４】
さらに、表示対象のチャンネル条件（表示条件）を指定可能であり、
前記チャンネルの順送りまたは逆送り操作を受け付けた場合に、前記判断部は、前記非表示条件に拘らず、前記指定された表示条件を満たすチャンネルを表示する請求項１から３いずれか一の放送受信装置。
【請求項５】
表示しないチャンネルの条件（非表示条件）を受け付けて、放送受信装置のメモリに記憶するステップと、
視聴するチャンネルを順送りまたは逆送りする選局操作を受け付けるステップと、
前記チャンネルの順送りまたは逆送り操作を受け付けた場合に、前記メモリに記憶された条件（非表示条件）に従って、順送りまたは逆送りしたチャンネルの表示を省略するステップと、を含む放送受信装置のチャンネル表示方法。
【請求項６】
表示しないチャンネルの条件（非表示条件）を受け付けて、放送受信装置のメモリに記憶する処理と、
視聴するチャンネルを順送りまたは逆送りする選局操作を受け付けた場合に、前記メモリに記憶された条件（非表示条件）に従って、順送りまたは逆送りしたチャンネルの表示を省略する処理と、を放送受信装置として機能するコンピュータに実行させるプログラム。
【発明の詳細な説明】
【技術分野】
【０００１】
本発明は、放送受信装置、放送受信装置のチャンネル表示方法及びプログラムに関する。
【背景技術】
【０００２】
特許文献１に、希望のチャンネルだけをメモリに保存し、さらに、スポーツや芸能などのジャンルや野球選手名、歌手名などのタイトルで検索を行い、その結果をメモリに保存し、その操作後は、リモコンの上下ボタンを操作し、最小限まで絞られたチャンネルの中で、ジャンルやタイトルの条件を満たすチャンネルだけが、順次画面に出てきて、所定の番組を選択出来るという放送受信機番組選択システムが開示されている。
【先行技術文献】
【特許文献】
【０００３】
【特許文献１】特開２００５−２１７５８７号公報
【発明の概要】
【発明が解決しようとする課題】
【０００４】
しかしながら、同公報の放送受信機番組選択システムでは、見たいチャンネルとして指定され、かつ、ジャンル検索、タイトル検索にて検索された番組だけをメモリに保存して、その中で、チャンネル上下キーによる選局を行うものであるため、見たいチャンネルとして指定されず、また、ジャンル検索、タイトル検索の条件にも適合しないチャンネルは恒久的に表示されなくなってしまうという問題点がある（同文献の図２のステップ４の「メモリに保存された情報による画面の一例」参照）。
【０００５】
また、チャンネル上下キーが操作される典型的な場面として、ザッピング行為が挙げられる。ザッピングは、Ｚａｐ（背嚢）を背負って気ままに山や森をぶらぶら歩くことが語源であるともいわれているとおり、ユーザが、面白い番組を見つけようとしてチャンネルを頻繁に切り替える行為のことであり、特許文献１の方法では、見たい番組だけを絞り込んでしまうため、ザッピングの楽しみもなくなってしまう。
【０００６】
本発明は、上記した事情に鑑みてなされたものであって、その目的とするところは、ザッピング操作時に、見たい番組を早く探したいという利便性を確保しつつ、思うままに視聴するチャンネルを順送りまたは逆送り操作するザッピング本来の楽しみを提供することのできる放送受信装置、放送受信装置のチャンネル表示方法及びプログラムを提供することにある。
【課題を解決するための手段】
【０００７】
本発明の第１の視点によれば、視聴するチャンネルを順送りまたは逆送りする選局操作を受け付ける選局操作受付部と、表示しないチャンネルの条件（非表示条件）を受け付けて記憶する非表示チャンネル設定記憶部と、前記チャンネルの順送りまたは逆送り操作を受け付けた場合に、前記非表示チャンネル設定記憶部に記憶された条件（非表示条件）に従って、順送りまたは逆送りしたチャンネルの表示を省略する判断部を備えること、を特徴とする放送受信装置が提供される。
【０００８】
本発明の第２の視点によれば、表示しないチャンネルの条件（非表示条件）を受け付けて、放送受信装置のメモリに記憶するステップと、視聴するチャンネルを順送りまたは逆送りする選局操作を受け付けるステップと、前記チャンネルの順送りまたは逆送り操作を受け付けた場合に、前記メモリに記憶された条件（非表示条件）に従って、順送りまたは逆送りしたチャンネルの表示を省略するステップと、を含む放送受信装置のチャンネル表示方法が提供される。
【０００９】
本発明の第３の視点によれば、表示しないチャンネルの条件（非表示条件）を受け付けて、放送受信装置のメモリに記憶する処理と、視聴するチャンネルを順送りまたは逆送りする選局操作を受け付けた場合に、前記メモリに記憶された条件（非表示条件）に従って、順送りまたは逆送りしたチャンネルの表示を省略する処理と、を放送受信装置として機能するコンピュータに実行させるプログラムが提供される。
【発明の効果】
【００１０】
本発明によれば、表示しないチャンネルの条件（非表示条件）に該当するチャンネルを除いたチャンネルの表示が行われるため、見たい番組を早く探したいという利便性を確保しつつ、思うままにチャンネルを順送りまたは逆送り操作するザッピング本来の楽しみを提供することができる。
【図面の簡単な説明】
【００１１】
【図１】本発明の概要を説明するための図である。
【図２】本発明の第１の実施形態の放送受信装置の構成を表したブロック図である。
【図３】本発明の第１の実施形態の放送受信装置のチャンネル判断部に保持される条件の例である。
【図４】本発明の第１の実施形態の放送受信装置のチャンネル判断部に保持される条件の別の例である。
【図５】本発明の第１の実施形態の放送受信装置の番組判断部に保持される条件の例である。
【図６】本発明の第１の実施形態の放送受信装置のＣＭ判断部に保持される条件の例である。
【図７】本発明の第１の実施形態の放送受信装置の動作を表したフローチャートである。
【図８】本発明の第１の実施形態の放送受信装置の動作を表したフローチャートである。
【発明を実施するための形態】
【００１２】
はじめに本発明の概要について説明する。本発明は、視聴するチャンネルを順送りまたは逆送りする選局操作を受け付ける選局操作受付部として機能するチャンネル上下キーと、表示しないチャンネルの条件（非表示条件）を受け付けて記憶する非表示チャンネル設定記憶部として機能するメモリと、前記チャンネルの順送りまたは逆送り操作を受け付けた場合に、前記非表示チャンネル設定記憶部に記憶された条件（非表示条件）に従って、順送りまたは逆送りしたチャンネルの表示を省略する判断部として機能するマイクロコンピュータを備える放送受信装置によって実現できる。
【００１３】
図１は本発明の概要を説明するためのフローチャートである。図１を参照すると、ユーザのチャンネル上下キー操作によって（ステップＳ００１）、放送受信装置は現在選択されているチャンネルの次のチャンネル（順送りまたは逆送り）を取得する（ステップＳ００２）。
【００１４】
次に、放送受信装置は、当該チャンネルがユーザが予め上記メモリに設定した表示しないチャンネルの条件（非表示条件）に該当するか否かによって、当該チャンネルを表示するか否か（表示／非表示）の判断を行う（ステップＳ００３）。
【００１５】
表示しないチャンネルの条件（非表示条件）としては、例えば、ユーザが非表示にすると設定したチャンネルであるか否かや、ユーザが非表示にすると指定した番組であるか否かや、当該チャンネルがＣＭ（Ｃｏｍｍｅｒｃｉａｌ  Ｍｅｓｓａｇｅ）中であるか否か等を設定できる。
【００１６】
放送受信装置は、以上の判断により、表示すると判断したチャンネルを表示する（ステップＳ００４）。
【００１７】
このようにして、本発明では、ユーザが設定した表示しないチャンネルの条件（非表示条件）によって判断を行ない、非表示と判断されなかったもの、即ち、ユーザが見る可能性が少しでもあるチャンネルは表示されるため、見たい番組を早く探したいという利便性を確保しつつ、目的もなく視聴するチャンネルを順送りまたは逆送り操作するザッピング本来の楽しみを提供することができる。
【００１８】
［第１の実施形態］
続いて、本発明の第１の実施形態について図面を参照して詳細に説明する。図２は、本発明の第１の実施形態の放送受信装置の構成を表したブロック図である。図２を参照すると、本発明の第１の実施形態に係る放送受信装置は、選局操作受付部２０と、チャンネル取得部１０と、チャンネル判断部１１と、放送信号取得部１２と、番組情報取得部１３と、番組判断部１４と、ＣＭ状態取得部１５と、ＣＭ判断部１６と、番組表示部１７と、を含んで構成されている。これらの構成要素はそれぞれ概略つぎのように動作する。
【００１９】
選局操作受付部２０は、視聴するチャンネルを順送りまたは逆送りする選局操作を受け付けるリモコン端末や放送受信装置本体のチャンネル上下キーによって構成される。
【００２０】
チャンネル取得部１０は、選局操作受付部２０にて受け付けたユーザのチャンネル上下操作に基づいて、現在表示しているチャンネルの次のチャンネルを取得する。
【００２１】
チャンネル判断部１１は、チャンネル取得部１０にて取得したチャンネルと、予めユーザの設定したチャンネル条件とを比較し、チャンネル取得部１０にて取得したチャンネルを表示するか否かを判断する。
【００２２】
図３は、図示省略する放送受信装置のメモリに記憶されたチャンネル条件の例である。図３の場合、表示対象としてチャンネル１、２が、非表示対象としてチャンネル４、６が指定されている。表示に非表示にも指定されていないチャンネル、例えば、チャンネル３、５等は、チャンネルだけでは判断されず、後記する番組条件やＣＭ条件の判定で表示するか否かが決定される。また、表示対象に設定されているチャンネル４、６は、後記する番組条件やＣＭ条件の判定は行わず、表示対象となる。図４は、チャンネル別に表示、非表示を受け付けたチャンネル条件の例であり、内容的には、図３のチャンネル条件と同等である。図３、図４の例では、表示対象、非表示対象のチャンネルをそれぞれ設定した例を示しているが、いずれか一方のみを設定してもよい。また、すべてのチャンネルを表示対象、非表示対象のいずれにも設定しない場合には、後記する番組条件やＣＭ条件で判断が行われることになる。
【００２３】
チャンネル取得部１０にて取得されたチャンネルが、上記の非表示対象のチャンネルであった場合、チャンネル判断部１１は、チャンネル取得部１０に、次のチャンネルを取得させ、同様の判断処理を行う。
【００２４】
一方、チャンネル取得部１０にて取得されたチャンネルが、表示対象に指定されているチャンネル場合であった場合、放送信号取得部１２が、当該チャンネルの番組映像ならびに番組に重畳されているデータなどを取得する。当該チャンネルの番組映像ならびに番組に重畳されているデータは、番組表示部１７に入力される。
【００２５】
さらに、チャンネル取得部１０にて取得されたチャンネルが、表示対象にも非表示対象にも指定されていないチャンネル場合であった場合、当該チャンネルの番組映像ならびに番組に重畳されているデータは、番組情報取得部１３およびＣＭ状態取得部１５にそれぞれ入力される。
【００２６】
番組情報取得部１３は、放送信号取得部１２から入力された番組に重畳されているデータや、インターネット上の電子番組情報などから、当該チャンネルの番組情報を取得する。
【００２７】
番組判断部１４は、取得した番組情報と、予めユーザの設定した番組条件とを比較し、チャンネル取得部１０にて取得したチャンネルを表示するか否かを判断する。
【００２８】
図５は、図示省略する放送受信装置のメモリに記憶された番組条件の例である。図５の場合、ジャンル１、出演者１、キーワードのいずれかが適合する番組は表示対象となり、ジャンル２、出演者２のいずれかが適合する番組は非表示対象となる。上記条件のいずれにも適合しないその他の番組は、番組だけでは判断されず、後記するＣＭ条件の判定で表示するか否かが決定される。
【００２９】
チャンネル取得部１０にて取得されたチャンネルが、上記の非表示対象に該当する番組を放映中であった場合、番組判断部１４は、チャンネル取得部１０に、次のチャンネルを取得させる。
【００３０】
一方、チャンネル取得部１０にて取得されたチャンネルが、表示対象に該当する番組を放映中であった場合、当該チャンネルの番組映像ならびに番組に重畳されているデータは、番組表示部１７に入力される。
【００３１】
さらに、チャンネル取得部１０にて取得されたチャンネルが、表示対象にも非表示対象のいずれにも該当しない番組を放映中であった場合、当次のＣＭ判断部１６による判断が行われる。
【００３２】
ＣＭ状態取得部１５は、チャンネル取得部１０にて取得されたチャンネルの放送内容からＣＭ放送中であるか否かを示すＣＭ状態情報を取得する。ＣＭ放送中であるか否かは、番組に同期重畳された音声モードの状態や、映像内容の解析により実現可能であることが当業者にとって知られているため、その詳細な説明は省略する。
【００３３】
ＣＭ判断部１６は、チャンネル取得部１０にて取得されたチャンネルのＣＭ状態情報と予めユーザの設定したＣＭ条件を比較し、当該チャンネルを表示するか否かを判断する。
【００３４】
図６は、図示省略する放送受信装置のメモリに記憶されたＣＭ条件の例である。図６の場合、ＣＭ放送中である場合は非表示対象となる。
【００３５】
ここで、例えば、図６に示すように、ＣＭ放送中である場合は表示しないと設定されている場合、チャンネル取得部１０にて取得されたチャンネルがＣＭ放送中であれば、ＣＭ判断部１６は、チャンネル取得部１０に、次のチャンネルを取得させる。
【００３６】
このように、チャンネル判断部１１、番組判断部１４およびＣＭ判断部１６は、それぞれ設定された表示しないチャンネルの条件（非表示条件）に従って、チャンネル取得部１０にて取得されたチャンネルが、非表示対象である場合は、当該チャンネルの表示を省略し、次のチャンネルを読み出させる動作を行う判断部として機能する。
【００３７】
続いて、本実施形態の動作について図面を参照して詳細に説明する。図７、図８は、本発明の第１の実施形態の放送受信装置の動作を表したフローチャートである。
【００３８】
まず、ユーザのチャンネル上下操作によって（図７のステップＳ１０１）、放送受信装置は現在選択されているチャンネルの次のチャンネルを取得する（図７のステップＳ１０２）。
【００３９】
次に、放送受信装置は、当該チャンネルとユーザの設定したチャンネル条件とを比較し、該当チャンネルが表示対象である場合、該当チャンネルの表示を行う（図７のステップＳ１０３のＹｅｓ、図８のステップＳ１１２へ）。一方、該当チャンネルが非表示対象である場合、放送受信装置は、該当チャンネルの表示を行わず、次のチャンネルを取得し同様の処理を行う（図７のステップＳ１０４のＹｅｓ、図７のステップＳ１０２へ）。
【００４０】
それ以外の場合、放送受信装置は、番組条件による判断を行うため、放送波に重畳されているデータや、電子番組情報等から、番組情報を取得する（図７のステップＳ１０６）。
【００４１】
次に、放送受信装置は、取得した番組情報と、ユーザの設定した番組条件とを比較し、該当チャンネルにて放送されている番組が表示対象である場合、該当チャンネルの表示を行う（図７のステップＳ１０７のＹｅｓ、図８のステップＳ１１２へ）。
【００４２】
一方、該当チャンネルにて放送されている番組が非表示対象である場合、放送受信装置は、該当チャンネルの表示を行わず、次のチャンネルを取得し同様の処理を行う（図７のステップＳ１０８のＹｅｓ、図７のステップＳ１０２へ）。
【００４３】
それ以外の場合、放送受信装置は、ＣＭ条件による判断を行うため、現在選択されているチャンネルの放送内容からＣＭ放送中であるか否かの状態を取得する（図８のステップＳ１１０）。
【００４４】
ここで、ＣＭ放送中は非表示とするＣＭ条件が設定されており、かつ、現在選択されているチャンネルでＣＭ放送中である場合、放送受信装置は、該当チャンネルの表示を行わず、次のチャンネルを取得し同様の処理を行う（図８のステップＳ１１１のＹｅｓ、図７のステップＳ１０２へ）。それ以外の場合、放送受信装置は、ＣＭ放送中であっても、該当チャンネルの表示を行う（図８のステップＳ１１２）。
【００４５】
このようにして、本実施形態では、チャンネル上下キーを受け付けた際に、チャンネル条件、番組条件、ＣＭ条件に基づいてチャンネル表示／非表示の判断を行い、ユーザが明確に視聴することがないと指定したチャンネルや番組の表示を抑止することが可能となる。その一方で、チャンネル条件、番組条件、ＣＭ条件に該当しない、つまり、チャンネル的、番組的にも的外れでなく、しかもＣＭ中でない番組は表示されるようになっているため、ザッピング本来の楽しみも得られるようになっている。
【００４６】
以上、本発明の好適な実施形態を説明したが、本発明は、上記した実施形態に限定されるものではなく、本発明の基本的技術的思想を逸脱しない範囲で、更なる変形・置換・調整を加えることができる。例えば、上記した実施形態では、チャンネル条件による判断、番組条件による判断、ＣＭ条件による判断の順でチャンネルの表示／非表示を判断するものとして説明したが、各条件による判断の順序は、置き換えることができる。
【００４７】
また、上記した実施形態では、チャンネル条件、番組条件、ＣＭ条件を受け付けてそれぞれの観点からのチャンネルの表示／非表示を判断するものとして説明したが、放送受信装置が受信可能なチャンネルの数や内容、ユーザの要求等に応じて、チャンネル条件、番組条件、ＣＭ条件のうちのいくつかを省略したり、あるいは、時間帯に応じて適用する非表示条件を変えるなどの変更を加えてもよい。
【符号の説明】
【００４８】
１０  チャンネル取得部
１１  チャンネル判断部
１２  放送信号取得部
１３  番組情報取得部
１４  番組判断部
１５  ＣＭ状態取得部
１６  ＣＭ判断部
１７  番組表示部
２０  選局操作受付部
【図１】
2010219760.tif 000003
【図２】
2010219760.tif 000004
【図３】
2010219760.tif 000005
【図４】
2010219760.tif 000006
【図５】
2010219760.tif 000007
【図６】
2010219760.tif 000008
【図７】
2010219760.tif 000009
【図８】
2010219760.tif 000010